(57)【要約】    【課題】  （メタ）アクリル酸の保存安定性や、（メタ）アクリル酸を原料として重合に用いたときの重合の安定性を阻害する不純物を除去し、（メタ）アクリル酸を安定化する。    【解決手段】  （メタ）アクリル酸組成物中における、炭素数が８〜１０の芳香族炭化水素の組成物中の総濃度を２ｐｐｍ未満にする。この（メタ）アクリル酸組成物は、前記芳香族炭化水素を含有する粗（メタ）アクリル酸組成物から（メタ）アクリル酸を晶出させ、晶出した（メタ）アクリル酸を発汗させ、発汗後に結晶として残った（メタ）アクリル酸を分離することにより得られる。【選択図】          なし【特許請求の範囲】
【請求項１】
炭素数が８〜１０の芳香族炭化水素の組成物中の総濃度が２ｐｐｍ未満であることを特徴とする（メタ）アクリル酸組成物。
【請求項２】
前記芳香族炭化水素は、炭素数が９〜１０であり、アルキル基で置換された六員環の芳香族単環式炭化水素のうちの一又は二以上の化合物であることを特徴とする請求項１記載の（メタ）アクリル酸組成物。
【請求項３】
炭素数が８〜１０の芳香族炭化水素を含有する粗（メタ）アクリル酸組成物から前記芳香族炭化水素の組成物中の総濃度が２ｐｐｍ未満である（メタ）アクリル酸組成物を製造する方法であって、
粗（メタ）アクリル酸組成物から（メタ）アクリル酸を晶出させ、晶出した（メタ）アクリル酸を発汗させ、発汗後に結晶として残った（メタ）アクリル酸を分離することを特徴とする（メタ）アクリル酸組成物の製造方法。
【請求項４】
分離した（メタ）アクリル酸から（メタ）アクリル酸を晶出させ、晶出した（メタ）アクリル酸の発汗とその後の分離をさらに行う工程を一回以上実施することを特徴とする請求項３記載の（メタ）アクリル酸組成物の製造方法。
【請求項５】
前記粗（メタ）アクリル酸組成物には、（メタ）アクリル酸と水とを含有する（メタ）アクリル酸含水物を、水と共沸する共沸溶剤の存在下で蒸留して、（メタ）アクリル酸含水物から水を除くことによって得られた組成物を用いることを特徴とする請求項３記載の（メタ）アクリル酸組成物の製造方法。
【請求項６】
前記芳香族炭化水素は、炭素数が９〜１０であり、アルキル基で置換された六員環の芳香族単環式炭化水素のうちの一又は二以上の化合物であることを特徴とする請求項３記載の（メタ）アクリル酸組成物の製造方法。
【発明の詳細な説明】
【技術分野】
【０００１】
本発明は、高純度（メタ）アクリル酸組成物の製造方法に関し、詳しくは、不純物として炭素数が８〜１０の芳香族炭化水素類を含有する粗（メタ）アクリル酸組成物を晶析処理して高純度（メタ）アクリル酸組成物を製造する方法に関する。
【０００２】
なお、本明細書において、「（メタ）アクリル酸」の表記は、アクリル酸とメタクリル酸の一方又は両方を意味する。
【背景技術】
【０００３】
アクリル酸は、例えば次の様な方法で製造されている。すなわち、先ず、原料のプロピレンを気相接触酸化し、得られた酸化生成物を水で吸収してアクリル酸を水溶液として回収し、次いで、得られた水溶液を共沸溶剤の存在下に濃縮して粗アクリル酸を得、次いで、粗アクリル酸を蒸留塔で精製して高純度のアクリル酸を回収する。メタクリル酸の場合は、原料としてイソブチレンを使用することで、上記と同様のプロセスによって製造される。
【０００４】
前記製造工程においては、フルフラール、ベンズアルデヒド等のアルデヒド類や、マレイン酸及び無水マレイン酸、酢酸等のカルボン酸が副生することは公知である。
【０００５】
近年、アクリル酸は、紙おむつ等の高吸水性樹脂や食品添加剤等の原料としてその需要が増加しており、かかる用途においては高純度のアクリル酸が要求されている。即ち、不純物を除去せずに粗アクリル酸を重合用の原料として用いると、重合誘導期の大幅な変動や、得られるポリマーの重合度の低下、重合物の着色等、アクリル酸を原料とする製品の安定した製造に問題が発生する。このため、工業的には、蒸留によるアクリル酸の精製が行われる。
【０００６】
しかしながら、気相接触酸化により得られた粗アクリル酸中の不純物を蒸留により除去することは容易ではなく、理論段数の増加（例えば６〜２０段増加すること）や還流比の増加等が必要となる。
【０００７】
従来、気相接触酸化で得られた粗アクリル酸からアルデヒド類を分離除去して高純度アクリル酸を製造する方法としては、例えば、分子中に一個以上のメルカプト基を有する化合物（アルデヒド除去処理剤）及び酸性触媒の存在下に粗（メタ）アクリル酸を反応処理する方法（例えば、特許文献１参照。）や、ヒドラジン類の存在下に蒸留を行う方法（例えば、特許文献２及び３参照。）等が知られている。
【０００８】
これらの方法では、薬剤処理により高沸化した不純物の分離は可能であるが、炭素数が８〜１０の芳香族炭化水素の分離にはまだ不十分であった。
【０００９】
特に近年、製造コスト削減を図るべく、プロピレン等を接触気相酸化させて得られるガス状の酸化生成物と接触させる捕集液として、蒸留工程でアクリル酸を分離した後の廃液が再利用されているが、該廃液中には酸化反応の副生物や、助剤として使用する化合物中の副生成物が蓄積される。そのため、操業期間が長くなり、再利用回数が増えるにつれて、製造プロセス内を循環することとなる。
【００１０】
これらの化合物は、製造プロセス内の蒸留塔の運転が不安定になった時等に、プロセスから排出されるために、製品であるアクリル酸とともに留出することがある。このような
不純物は、アクリル酸の保存安定性を損なう原因になることがあり、またアクリル酸を重合反応の原料として用いたときに、重合を阻害する原因にもなる。
【特許文献１】特公平４−２９６５８号公報
【特許文献２】特開昭４９−３０３１２号公報
【特許文献３】特公昭５８−３７２９０号公報
【発明の開示】
【発明が解決しようとする課題】
【００１１】
本発明は、上記実情に鑑みなされたものであり、上記不純物を除去し（メタ）アクリル酸を安定化させることを目的とするものである。
【課題を解決するための手段】
【００１２】
本発明者らが詳細に分析した結果、炭素数８〜１０の芳香族炭化水素類が存在するとアクリル酸の安定性が低下することが判明した。本発明者らは、鋭意検討を重ねた結果、晶析法を利用することで、炭素数８〜１０の芳香族炭化水素の分離が容易に達成できることを見出し、本発明を完成した。
【００１３】
すなわち本発明は、炭素数が８〜１０の芳香族炭化水素の組成物中の総濃度が２ｐｐｍ未満である（メタ）アクリル酸組成物、及び（メタ）アクリル酸の晶析を利用して前記（メタ）アクリル酸組成物を製造する方法である。
【発明の効果】
【００１４】
本発明によれば、特定のスペックの（メタ）アクリル酸が得られる。この（メタ）アクリル酸は、液状のまま安定して保存することができる。また、この（メタ）アクリル酸を原料に用いて重合を行った場合に、重合の阻害や重合の不安定化を防止することができる。本発明における特定のスペックの（メタ）アクリル酸の有用性は、例えば、吸水性樹脂等の、高品質の（メタ）アクリル酸を要する（メタ）アクリル酸ポリマーを製造する過程において特に顕著に現れる。
【発明を実施するための最良の形態】
【００１５】
本発明の（メタ）アクリル酸組成物は、炭素数が８〜１０の芳香族炭化水素の組成物中の総濃度が２ｐｐｍ未満である。
【００１６】
本発明において、（メタ）アクリル酸組成物とは、（メタ）アクリル酸を晶析時に結晶の状態で得ることができる組成物である。（メタ）アクリル酸組成物としては、（メタ）アクリル酸そのもの、及び（メタ）アクリル酸に微量の不純物を含むもの等が挙げられる。
【００１７】
本発明の（メタ）アクリル酸組成物は、炭素数が８〜１０の芳香族炭化水素を含有する粗（メタ）アクリル酸組成物から（メタ）アクリル酸を晶出させ、晶出した（メタ）アクリル酸を発汗させ、発汗後に結晶として残った（メタ）アクリル酸を分離することによって製造することができる。
以下、本発明を詳細に説明する。
【００１８】
（メタ）アクリル酸の製造工程においては、まずプロパン、プロピレンやアクロレインあるいはイソブテンの気相接触酸化により酸化生成物を生成する。得られる酸化生成物中には、目的であるアクリル酸やメタクリル酸のほかに、不純物として、フルフラールやホルムアルデヒド、アセトアルデヒド、ベンズアルデヒド等の各種のアルデヒド類、アセトン等のケトン類、マレイン酸等の二塩基酸、及び多量の水を含んでいる。
【００１９】
そこで、この酸化生成物を、先ず脱水工程に供給して、（メタ）アクリル酸成分から水を分離除去する。この脱水工程では、溶剤抽出法や共沸蒸留法等の方法による脱水が採用される。その際使用される共沸溶剤としては、水と共沸する酢酸メチル、酢酸エチル、酢酸プロピル、酢酸イソプロピル、酢酸イソブチル等のエステル類、メチルエチルケトン、メチルイソブチルケトン等のケトン類、水とも酢酸とも共沸するトルエン、エチルベンゼン、キシレン等の芳香族炭化水素類及びこれらの混合物が挙げられる。
【００２０】
また、溶剤抽出法では、（メタ）アクリル酸の水溶液から（メタ）アクリル酸を抽出溶剤に抽出する。抽出溶剤としては、例えばメチルイソブチルケトン、酢酸イソプロピル、メチルエチルケトン、トルエン、シクロヘキサン等が挙げられる。（メタ）アクリル酸の抽出液には、少量の水が含まれるので、共沸蒸留法によって（メタ）アクリル酸の抽出液から水を除くことが一般的である。このような場合では、プロセスの簡略化の観点から、共沸溶剤と同じ種類の溶剤が抽出溶剤として用いられることが好ましい。
【００２１】
例えば共沸蒸留塔は、通常、減圧蒸留塔であるが、これを例にとれば、前記不純物中の低沸点成分、具体的にはホルムアルデヒドやアセトアルデヒド、アセトン等が水とともに留去されるが、その際に共沸溶剤として添加された前記共沸溶剤中の不純物が蒸留塔内で濃縮される。濃縮された化合物は、蒸留塔の非濃縮性ガスとともに、蒸留塔の圧力制御システムから塔外に留出される。
【００２２】
我々は鋭意検討した結果、原料中では検出不能であったが、（メタ）アクリル酸の製造工程を循環するうちに濃縮される成分であって、高純度（メタ）アクリル酸組成物中に留出すると、（メタ）アクリル酸を原料として重合を行う場合の重合を不安定化させる化合物を見出した。
【００２３】
本発明における前記不純物とは、炭素数が８〜１０の芳香族炭化水素である。炭素数が８〜１０の芳香族炭化水素としては、例えばアルキル基で置換された三員環、四員環、五員環、又は六員環の芳香族単環式炭化水素等が挙げられる。これらの中で好ましくは、環に結合する水素原子がアルキル基で置換された六員環の芳香族単環式炭化水素である。なお、本発明において、芳香族単環式炭化水素とは、一つの芳香族環とこれに結合する炭化水素基とからなる化合物である。
【００２４】
ここで、アルキル基としては、メチル基、エチル基、ｎ−プロピル基、ｉ−プロピル基、ｎ−ブチル基、ｉ−ブチル基、ｔ−ブチル基等が挙げられる。アルキル基による置換数は、１〜４であることが好ましい。
【００２５】
上記した芳香族炭化水素は、炭素数が８〜１０、好ましくは９〜１０である。炭素数が９〜１０の芳香族炭化水素としては、具体的には、例えば、下記構造式で示される、２−エチルトルエン、３−エチルトルエン、４−エチルトルエン、ｎ−プロピルベンゼン、１，２，３−トリメチルベンゼン、１，２，４―トリメチルベンゼン、１，３，５−トリメチルベンゼン、イソプロピルベンゼン、１，２，３，５−テトラメチルベンゼン、１，２，３，４−テトラメチルベンゼン、１，２，４，５−テトラメチルベンゼン、４−エチル−ｍ−キシレン、５−エチル−ｍ−キシレン、２−エチル−ｐ−キシレン、２−ｎ−プロピルトルエン、３−ｎ−プロピルトルエン、４−ｎ−プロピルトルエン、１，２−ジエチルベンゼン、１，３−ジエチルベンゼン、１，４−ジエチルベンゼン、ｓｅｃ−ブチルベンゼン、ｔｅｒｔ−ブチルベンゼン、ｏ−シメン、ｍ−シメン、ｐ−シメン等が挙げられる。
【００２６】
【化１】
2005247731.tif 000002
【００２７】
【化２】
2005247731.tif 000003
【００２８】
これら不純物は、炭素数が近い異性体のため分離が難しく、混合状態で存在していると考えられる。
【００２９】
炭素数が８〜１０の芳香族炭化水素の好適な除去方法としては、（メタ）アクリル酸の晶析による精製を挙げることができる。すなわち、炭素数が８〜１０の芳香族炭化水素を含有する粗（メタ）アクリル酸組成物から（メタ）アクリル酸を晶出させ、晶出した（メタ）アクリル酸を発汗させ、発汗後に結晶として残った（メタ）アクリル酸を分離する。
【００３０】
粗（メタ）アクリル酸組成物には、（メタ）アクリル酸と水とを含有する（メタ）アクリル酸含水物を、共沸溶剤の存在下で蒸留して、（メタ）アクリル酸含水物から水を除いた組成物を用いることができる。粗（メタ）アクリル酸組成物には、（メタ）アクリル酸含水物を用いても良い。（メタ）アクリル酸含水物には、有機溶剤を含んでいても良い（メタ）アクリル酸の水溶液や、水を含んでいても良い（メタ）アクリル酸の有機溶剤の溶液等が挙げられる。具体的には、粗（メタ）アクリル酸組成物には、前述した共沸溶剤や抽出溶剤を繰り返し用いる共沸蒸留法や溶剤抽出法によって得られる組成物が用いられる。
【００３１】
本発明において、（メタ）アクリル酸の晶出は、晶出前の（メタ）アクリル酸組成物の温度を下げることによって行うことができる。晶析の操作温度は、結晶が析出する温度以下であればよいが、操作の面から、操作温度は−１０〜１３℃が好ましい。
【００３２】
本発明において、晶出した（メタ）アクリル酸の発汗は、晶出した（メタ）アクリル酸の一部を融解させることによって行うことができる。なお、発汗とは、結晶内に取り込まれた母液に起因する不純物を、結晶の温度を上げること等によって結晶外に取り除く現象及び操作である。
【００３３】
このような操作は、晶出した（メタ）アクリル酸を徐々に融解させることによって行うことができる。このようなゆっくりとした融解は、晶出した（メタ）アクリル酸の温度の緩やかな上昇や、晶出した（メタ）アクリル酸に母液を接触させることや、晶出した（メタ）アクリル酸に（メタ）アクリル酸の結晶の融解物を接触させることによって行うことができる。
【００３４】
また、発汗後に分離した（メタ）アクリル酸の結晶を融解し、（メタ）アクリル酸の晶出、晶出した（メタ）アクリル酸の発汗及び分離を繰り返し行っても良い。このような操作によれば、前記芳香族単環式炭化水素をはじめ、種々の不純物をさらに除去し、より一層高純度の（メタ）アクリル酸を得る観点から好ましい。
【００３５】
晶析や発汗を行う装置としては、（メタ）アクリル酸の融解の際に急激な熱を加えることが避けられる装置であれば特に限定されない。小スケールであればガラス製容器と冷却恒温槽のような簡単な設備でも構わないし、工業スケールであれば、例えば、「化学工学便覧、改訂６版（１９９９）」に掲載されている公知の装置を用いることができる。晶析や発汗の操作の形式は回分式及び連続式のいずれでもよい。
【００３６】
結晶と母液を分離する方法としては、固体と液体とを分離することができる方法であれば特に制限はなく、例えば、ろ過法、遠心分離法等の公知の方法を利用することができる。分離の操作の形式は、回分式及び連続式のいずれでも良い。
【００３７】
前述した（メタ）アクリル酸の晶出、発汗、及び結晶と母液との分離には、これらの操作の全てを行うことができる装置を用いることが好ましい。このような装置としては、例えば回分操作の流下液膜型装置（ＦＦＣ）、複数の結晶析出槽と塔型の精製部とを有する連続式の４Ｃ晶析装置、及び清水忠造：“クレハ連続結晶精製装置による有機合成の精製”、ケミカルエンジニアリング，第２７巻，第３号（１９８２）、第４９頁．に掲載されているＫＣＰ装置等が挙げられる。
【００３８】
なお、前述した装置において、分離した結晶は、結晶の状態のまま装置から取り出しても良いし、これを融解させて液体の状態で装置から取り出しても良い。
【００３９】
（メタ）アクリル酸組成物中の前記芳香族炭化水素の総濃度は、公知の定量方法を利用して測定することができる。このような測定方法としては、高速液体クロマトグラフィーやガスクロマトグラフィーを用いる絶対検量線法や内部標準法等が挙げられる。この測定では、前記芳香族炭化水素の検出強度によっては、測定試料を濃縮する等の、測定試料中の前記芳香族炭化水素の濃度を適切に測定するための処理を行った測定試料を用いても良い。
【００４０】
分離した母液は、そのまま（メタ）アクリル酸エステルの製造の原料として使用することができるし、（メタ）アクリル酸の製造工程に戻すこともできる。分離した母液は、経
済性の点から、特に再精製を行うことなく、（メタ）アクリル酸エステルの製造の原料に用いることが好ましい。
【００４１】
以上説明した本発明によれば、（メタ）アクリル酸中の炭素数が８〜１０の芳香族炭化水素の総濃度を２ｐｐｍ未満にすることで、（メタ）アクリル酸を保存時に安定化することができるとともに、この（メタ）アクリル酸を重合の原料として用いたときの重合への影響を除くことができるので、本発明の工業的価値は顕著である。
【実施例】
【００４２】
以下、本発明を実施例により更に詳細に説明するが、本発明は、その要旨を超えない限り、以下の実施例に限定されるものではない。
【００４３】
実施例及び比較例で用いたアクリル酸は、断りのない限り、プロピレン及びアクロレインを分子状酸素で接触気相酸化した後、反応生成ガスを凝縮し抽出したものを蒸留することで得られたものである。
【００４４】
＜実施例１＞
原料には、２−エチルトルエン１質量ｐｐｍ、１，２，４−トリメチルベンゼン５質量ｐｐｍ、３−ｎ−プロピルトルエン２５質量ｐｐｍ、５−エチル−ｍ−キシレン９質量ｐｐｍ、２−ｎ−プロピルトルエン１３質量ｐｐｍ、２−エチル−ｐ−キシレン２質量ｐｐｍ、酢酸６０７質量ｐｐｍ、プロピオン酸３８５質量ｐｐｍ、水分１３１０質量ｐｐｍ、アクリル酸ダイマー１６００質量ｐｐｍ、メトキシハイドロキノン２００質量ｐｐｍを含むアクリル酸を使用した。
【００４５】
このアクリル酸１Ｌを５℃の冷蔵庫にて１５時間ゆっくりと冷却後、結晶化したアクリル酸が５００ｍＬになるまで、室温下で徐々に融解させた。
【００４６】
残りの結晶化アクリル酸をろ別後、全量融解し、同様に冷却して結晶化させ、結晶化したアクリル酸が２５０ｍＬになるまで、室温下で徐々に融解させた。
【００４７】
このように、ゆっくりと冷却して結晶化させたアクリル酸の半分の量のアクリル酸を融解させ、半分の量の結晶化されたアクリル酸を取り出す操作を２回繰り返し、精製前に、酢酸３２２質量ｐｐｍ、プロピオン酸２６３質量ｐｐｍ、水分１８０質量ｐｐｍ、アクリル酸ダイマー１１５質量ｐｐｍ、メトキシハイドロキノン５質量ｐｐｍを含む高純度アクリル酸２５０ｍＬを得た。
【００４８】
この高純度アクリル酸から２０ｍＬをホールピペットにてサンプル瓶に秤量し、１７℃の恒温槽にて３ヶ月恒温放置したが、３ヶ月経過しても放置したアクリル酸は液体の状態を保っていた。
【００４９】
＜比較例１＞
実施例１にて得られた高純度アクリル酸に対して、精製前に存在していた２−エチルトルエン１質量ｐｐｍ、１，２，４−トリメチルベンゼン５質量ｐｐｍ、３−ｎ−プロピルトルエン２５質量ｐｐｍ、５−エチル−ｍ−キシレン９質量ｐｐｍ、２−ｎ−プロピルトルエン１３質量ｐｐｍ、２−エチル−ｐ−キシレン２質量ｐｐｍを添加し、実施例１と同様にサンプル瓶に秤量し、１７℃の恒温槽にて３ヶ月恒温放置した。
【００５０】
３ヶ月経過後に性状を確認したところ、放置したアクリル酸はもはや液状ではなく、無色透明のポリアクリル酸重合物となっていた。